(57)【要約】【課題】本発明はアクセス誘導方法及び装置、コンピュータプログラム並びに記憶媒体に関し、ホームページ提供者側からユーザに対してホームページ情報の再アクセスを効率的に誘導することができ、且つ、ユーザ側からはアクセスしたことのあるホームページに関する情報や更新内容等を意識せずに入手することができ、その結果ホームページ情報提供サービスを向上可能とすることを目的とする。【解決手段】ユーザがホームページを最後にアクセスした時点を基準として、所定条件が満足されると、ユーザをホームページに誘導する情報を含む通知をユーザに対して自動的に行うように構成する。【選択図】図１
2007249994.tif 000002
【特許請求の範囲】
【請求項１】
ユーザがホームページを最後にアクセスした時点を基準として、所定条件が満足されると、該ユーザを該ホームページに誘導する情報を含む通知を該ユーザに対して自動的に行うステップを含むことを特徴とする、アクセス誘導方法。
【請求項２】
前記情報は、前記時点以降の前記ホームページの更新情報を含むことを特徴とする、請求項１記載のアクセス誘導方法。
【請求項３】
前記所定条件は、前記時点からの所定時間の経過であることを特徴とする、請求項１又は請求項２記載のアクセス誘導方法。
【請求項４】
ユーザがホームページを最後にアクセスした時点を記録する第１の記録手段と、
該ユーザを該ホームページに誘導する情報を作成する作成手段と、
該時点基準として、所定条件が満足されると、該情報を含む通知を該ユーザに対して自動的に行う通知手段とを備えたことを特徴とする、アクセス誘導装置。
【請求項５】
前記作成手段は、前記時点以降の前記ホームページの更新情報を含む情報を作成することを特徴とする、請求項４記載のアクセス誘導装置。
【請求項６】
前記所定条件は、前記時点からの所定時間の経過であることを特徴とする、請求項４又は請求項５記載のアクセス誘導装置。
【請求項７】
コンピュータに、ユーザをホームページへ誘導する処理を行わせるコンピュータプログラムであって、
コンピュータに、ユーザがホームページを最後にアクセスした時点を記録させる第１の記録手順と、
コンピュータに、該ユーザを該ホームページに誘導する情報を作成させる作成手順と、
コンピュータに、該時点基準として、所定条件が満足されると、該情報を含む通知を該ユーザに対して自動的に行わせる通知手順とを含むことを特徴とする、コンピュータプログラム。
【請求項８】
コンピュータに、ユーザをホームページへ誘導する処理を行わせるコンピュータプログラムを格納したコンピュータ読み取り可能な記憶媒体であって、
コンピュータに、ユーザがホームページを最後にアクセスした時点を記録させる第１の記録手順と、
コンピュータに、該ユーザを該ホームページに誘導する情報を作成させる作成手順と、
コンピュータに、該時点基準として、所定条件が満足されると、該情報を含む通知を該ユーザに対して自動的に行わせる通知手順とを含むことを特徴とする、記憶媒体。
【発明の詳細な説明】
【技術分野】
【０００１】
本発明は、アクセス誘導方法及び装置、コンピュータプログラム並びに記憶媒体に関し、特にインターネット等のネットワークを介してアクセスされたホームページ情報の再アクセスを誘導するためのアクセス誘導方法及び装置、コンピュータにそのようなアクセス誘導を行わせるコンピュータプログラム並びにそのようなコンピュータプログラムを格納したコンピュータ読み取り可能な記憶媒体に関する。
【背景技術】
【０００２】
近年、パーソナルコンピュータや、多機能を有する携帯電話を含む携帯型情報端末等の普及に伴い、インターネットの利用が増大している。インターネットの代表的な利用方法として、ホームページをアクセスして所望のホームページ情報を検索、閲覧、記録することが挙げられる。
【０００３】
従来、ホームページ情報は、ホームページの所有者又は管理者（以下、ホームページ提供者と言う）により、特定の場所（ＵＲＬ）にホームページを開設することで、ユーザに提供する形式を取っている。ユーザは、ホームページをアクセスして、所望のホームページ情報をアクセスすることができる。しかし、ホームページ提供者は、ユーザ側からの要求があった場合に初めてホームページ情報を提供する受身の体制にあり、ホームページ提供者側からホームページをアクセスしたことのあるユーザにホームページのアクセスを促すようなことはできない。このため、ホームページの広告や更新内容の連絡を行うには、所定の名簿に基いてダイレクトメールを郵送することになり、例えばホームページをアクセスしたことのあるユーザのみに効率的に連絡することは不可能である。
【０００４】
他方、ユーザ側からすると、一度アクセスしたホームページであっても、アクセスしたホームページをいつまでも記録しているとは限らず、再度アクセスしようと思っても、ホームページアドレスを忘れてしまったりすることもある。又、ユーザ側で、アクセスしたホームページ情報を記録しておいても、ホームページが更新されていれば、ユーザは再度同じホームページをアクセスして、最新のホームページ情報を入手する必要がある。しかし、ユーザ側では、ホームページを再度アクセスしない限り、ホームページが更新されているか否かを知ることができない。
【０００５】
ホームページによっては、ホームページの特定の情報にアクセスする際に、ユーザを特定する情報の入力を要するものもある。この場合、ユーザは、ユーザＩＤやパスワードを入力することで、ホームページの特定の情報にアクセス可能となる。この場合、ホームページ提供者は、特定のホームページ情報をアクセスしたユーザを知ることができるので、ダイレクトメールを郵送することで、これらのユーザにホームページの広告等を送ることができる。従って、このようなダイレクトメールを受け取ったユーザは、ホームページアドレスを忘れていても知ることができると共に、ホームページ情報の更新の有無をも知ることができる。
【特許文献１】特開２０００−３１１３３８号公報
【特許文献２】特開平１１−１５７１６号公報
【特許文献３】特開平１１−２５０２０号公報
【特許文献４】特開２０００−１４８８４７号公報
【特許文献５】特開２０００−２８４７９１号公報
【特許文献６】特開平１１−１７５５１５号公報
【特許文献７】特開平１１−５５３２９号公報
【発明の開示】
【発明が解決しようとする課題】
【０００６】
従来は、ホームページ提供者側からすると、ホームページをアクセスしたことのあるユーザに対して、積極的、且つ、効率的にホームページの広告や更新内容の連絡をすることができないという問題があった。
【０００７】
又、ユーザ側からすると、アクセスしたことのあるホームページを再度アクセスしようとしても、ホームページアドレスを忘れてしまったりすると、再度アクセスすることはできないという問題があった。ユーザ側で、アクセスしたホームページ情報を記録しておくこともできるが、ユーザは記録に伴う各種操作を行う必要があり、面倒である。更に、アクセスしたホームページ情報を記録しておいても、ホームページが更新されていれば、ユーザは再度同じホームページをアクセスして、最新のホームページ情報を入手する必要があるが、ユーザ側では、ホームページを再度アクセスしない限り、ホームページが更新されているか否かを知ることができないという問題もあった。
【０００８】
このように、従来は、ホームページ提供者側からユーザに対してホームページ情報の再アクセスを効率的に誘導することができず、ユーザ側からはアクセスしたことのあるホームページに関する情報や更新内容等を意識せずに入手することができず、ホームページ情報提供サービスを向上することは難しいという問題があった。
【０００９】
そこで、本発明は、ホームページ提供者側からユーザに対してホームページ情報の再アクセスを効率的に誘導することができ、且つ、ユーザ側からはアクセスしたことのあるホームページに関する情報や更新内容等を意識せずに入手することができ、その結果ホームページ情報提供サービスを向上することが可能なアクセス誘導方法及び装置、コンピュータプログラム並びに記憶媒体を提供することを目的とする。
【課題を解決するための手段】
【００１０】
上記課題は、ユーザがホームページを最後にアクセスした時点を基準として、所定条件が満足されると、該ユーザを該ホームページに誘導する情報を含む通知を該ユーザに対して自動的に行うステップを含むことを特徴とするアクセス誘導方法によって達成できる。
【００１１】
上記課題は、ユーザがホームページを最後にアクセスした時点を記録する第１の記録手段と、該ユーザを該ホームページに誘導する情報を作成する作成手段と、該時点基準として、所定条件が満足されると、該情報を含む通知を該ユーザに対して自動的に行う通知手段とを備えたことを特徴とするアクセス誘導装置によっても達成できる。
【００１２】
上記課題は、コンピュータに、ユーザをホームページへ誘導する処理を行わせるコンピュータプログラムであって、コンピュータに、ユーザがホームページを最後にアクセスした時点を記録させる第１の記録手順と、コンピュータに、該ユーザを該ホームページに誘導する情報を作成させる作成手順と、コンピュータに、該時点基準として、所定条件が満足されると、該情報を含む通知を該ユーザに対して自動的に行わせる通知手順とを含むことを特徴とするコンピュータプログラムによっても達成できる。
【００１３】
上記課題は、コンピュータに、ユーザをホームページへ誘導する処理を行わせるコンピュータプログラムを格納したコンピュータ読み取り可能な記憶媒体であって、コンピュータに、ユーザがホームページを最後にアクセスした時点を記録させる第１の記録手順と、コンピュータに、該ユーザを該ホームページに誘導する情報を作成させる作成手順と、コンピュータに、該時点基準として、所定条件が満足されると、該情報を含む通知を該ユーザに対して自動的に行わせる通知手順とを含むことを特徴とする記憶媒体によっても達成できる。
【発明の効果】
【００１４】
本発明によれば、ホームページ提供者側からユーザに対してホームページ情報の再アクセスを効率的に誘導することができ、且つ、ユーザ側からはアクセスしたことのあるホームページに関する情報や更新内容等を意識せずに入手することができ、その結果ホームページ情報提供サービスを向上することが可能なアクセス誘導方法及び装置、コンピュータプログラム並びに記憶媒体を実現できる。
【発明を実施するための最良の形態】
【００１５】
本発明になるアクセス誘導方法及び装置、コンピュータプログラム並びに記憶媒体の各実施例を、以下に図面と共に説明する。
【実施例】
【００１６】
先ず、本発明の動作原理を説明する。図１は、本発明の動作原理を説明するための図である。同図中、ユーザ１０は、情報端末１からインターネット等のネットワーク２を介してサーバシステム３をアクセス可能である。サーバシステム３は、周知の構成のウェブサーバからなり、ホームページ（コンテンツ）４、ユーザのアクセス記録データ群を含むデータベース５及びユーザのアクセス状況チェックプログラム６を含む。基本的な動作は、以下のステップ（１）〜（５）からなる。
【００１７】
ステップ（１）：  ユーザ１０は、ネットワーク２を介してサーバシステム３をアクセスして、所望のホームページ４をアクセスする。このホームページ４の所望のコンテンツは、例えばユーザ１０のユーザＩＤとパスワードを入力することで許可される。又、ユーザ１０は、電子メールアドレスやファックス番号等の入力も促され、これらのユーザ情報（データ）を入力する。
【００１８】
ステップ（２）：  サーバシステム３では、ユーザ１０によるホームページ４のアクセスに関する情報（アクセス記録）を、アクセス記録データ群としてデータベース５保持する。アクセス記録には、例えばユーザＩＤ，最終アクセス日時が含まれる。尚、最終アクセス日時は、例えばアクセスされたホームページ４のトップページが最後にアクセスされた時点とする。又、ユーザＩＤ、電子メールアドレスやファックス（ＦＡＸ）番号等も、ユーザデータとしてデータベース５に保持される。
【００１９】
ステップ（３）：  サーバシステム３では、アクセス状況チェックプログラム６により、データベース５内のアクセス記録データ群を参照することで、特定ユーザのホームページ４へのアクセス状況を定期的に調べ、所定条件を満足するか否かをチェックする。ここで、所定条件とは、例えば最終アクセス日時から所定日数が経過した場合を言う。つまり、｛（現在の日時）-（最終アクセス日時）｝≧（所定日数）であるか否かをチェックする。又、所定条件に、ホームページ４がアクセスされた回数（アクセス頻度）や、ホームページ４のアクセスされたページ数等を更に含めても良い。
【００２０】
ステップ（４）：  サーバシステム３では、アクセス状況チェックプログラム６により所定条件を満足していることが検出されると、アクセス記録データ群に含まれる特定ユーザのユーザＩＤをキーとして用いて、データベース５からこの特定ユーザのユーザデータを取り出す。取り出されるユーザデータは、例えば特性ユーザの電子メールアドレスやＦＡＸ番号である。
【００２１】
ステップ（５）：  サーバシステム３では、アクセス状況チェックプログラム６により、特定ユーザにホームページ４の広告や更新内容を通知することで、ホームページ４のホームページ情報の再アクセスを誘導する。従って、特性ユーザがユーザ１０であれば、取り出されたユーザデータに基いて、電子メールやＦＡＸ等の通信手段でユーザ１０へ通知をする。通知内容は特に限定されないが、ホームページ４のホームページアドレスや、更新内容等を含むことが望ましく、特に、更新内容を含むページのアドレスを含むことが望ましい。
【００２２】
従って、サーバシステム３側、即ち、ホームページ提供者３側から、ユーザ１０に対してホームページ４のホームページ情報の再アクセスを効率的に誘導することができ、且つ、ユーザ１０側からはアクセスしたことのあるホームページ４に関する情報や更新内容等を意識せずに入手することができ、その結果ホームページ情報提供サービスを向上することが可能となる。
【００２３】
次に、本発明になるアクセス誘導装置の一実施例を説明する。アクセス誘導装置の本実施例は、本発明になるアクセス誘導方法の一実施例、本発明になるコンピュータプログラムの一実施例及び本発明になる記憶媒体の一実施例を採用する。
【００２４】
図２は、本発明になるアクセス誘導装置の一実施例を示すブロック図である。同図中、サーバシステムは、大略サーバ１１と、外部記憶装置１２と、入力装置１３とからなる。サーバ１１は、周知のハードウェア構成のコンピュータからなり、表示装置や記憶部等を含む。記憶部は、磁気ディスク、光磁気ディスク、光ディスク、半導体メモリ等で構成される。記憶媒体の本実施例は、サーバ１１を構成するコンピュータに、アクセス誘導方法の本実施例によりアクセス誘導を行わせるコンピュータプログラムの本実施例を格納した記録媒体からなり、記憶部を構成するものであっても、周知の通信手段によりコンピュータにダウンロードされて記憶部に格納されても良い。外部記憶装置１２は、図１に示すデータベース５を構成可能な、周知のハードウェア構成の記憶手段からなり、ホームページ４に関するデータ、ユーザデータやアクセス記録データ等を記憶する。入力装置１３は、キーボードやマウス等からなる。
【００２５】
サーバシステムのサーバ１１は、インターネット等のネットワーク１４を介してクライアントシステムと通信可能である。クライアントシステムは、大略クライアント装置１５と、外部記憶装置１６と、入力装置１７とからなる。クライアント装置１５は、周知のハードウェア構成のコンピュータからなり、表示装置や記憶部等を含む。クライアントシステムのハードウェア構成は、基本的にはサーバシステムと同様のものを使用可能であるが、クライアント装置１５内の記憶部の容量が比較的大きければ、外部記憶装置１６は必ずしも必要ではない。
【００２６】
尚、クライアントシステムには、パーソナルコンピュータや電子メール機能を有する電話機や情報端末を使用可能であり、デスクトップ型であっても、携帯型であっても良い。
【００２７】
図３は、サーバ１１の構成を示す機能ブロック図である。同図に示すように、サーバ１１は、大略外部記憶装置（データベース）連携制御部２１、時間制御部２２、情報比較処理部２３、通知手段制御部２４、ホームページ管理制御部２５及び通知処理部２６からなる。外部記憶装置連携制御部２１は、外部記憶装置１をアクセスして行う各種処理の制御を司り、後述する如く、新規ユーザの登録や、サーバ１１が提供しているホームページ情報をアクセスしようとするユーザの認証等の処理に伴う制御等を行う。時間制御部２２は、図１に示すアクセス状況チェックプログラム６に含まれ、各種時間情報を管理して制御する。時間制御部２２において、ホームページ４がアクセスされた回数（アクセス頻度）や、ホームページ４のアクセスされたページ数等を管理しても良い。情報比較処理部２３は、外部記憶装置１２に記録されている特定のユーザのアクセス記録データと、最新のホームページ情報とを比較して、特定ユーザが最後にアクセスした後のホームページ４の更新内容等を判別する。
【００２８】
通知手段制御部２４は、特定ユーザにホームページ４の広告や更新内容を通知するタイミングや通知方法を、時間制御部２２の制御下や外部記憶装置連携制御部２１の制御下で外部記憶装置１２から得られるユーザデータ等に基いて決定し、通知処理部２６を制御する。通知処理部２６は、情報比較処理部２３の判別結果に基いて外部記憶装置連携制御部２１が外部記憶装置１２から得られるデータを加工した結果、即ち、ホームページ４の広告や更新内容を、通知手段制御部２４で決定された通知タイミングや通知方法で特定のユーザに通知する。ホームページ管理制御部２５は、外部記憶装置１２に記憶されているホームページ４に関するデータの管理を司る。
【００２９】
次に、新規ユーザ登録処理を、図４と共に説明する。図４は、新規ユーザ登録処理を説明するフローチャートであり、サーバ１１により実行される。新規ユーザ登録処理は、例えば未登録のユーザがアクセスしたホームページ４のトップページ以外のページをアクセスする際や、トップページ以外の特定のページをアクセスする際に行われる。ページへのアクセスを許可する際にサーバ１１で行われるユーザの認証は、ユーザが入力するユーザ名（ユーザＩＤ）及びパスワード等に基いて行い、サーバ１１が要求するユーザデータがユーザから登録されて、初めてこのページへのアクセスが可能となる。
【００３０】
図４において、ステップＳ１は、ホームページ４にアクセスしているユーザが登録済のユーザであるか否かをユーザの入力装置１７からの入力に基いて判定し、判定結果がＹＥＳであれば、処理は終了する。ステップＳ１の判定結果がＮＯであると、ステップＳ２は、ユーザを新規に登録するか否かをユーザの入力装置１７からの入力に基いて判定し、判定結果がＮＯであれば、処理は終了する。ステップＳ２の判定結果がＹＥＳであると、ステップＳ３は、ユーザに個人情報の登録を促し、ユーザの入力装置１７からの入力に基いてユーザの個人情報を登録する。又、ステップＳ４は、ユーザに通知先情報の登録を促し、ユーザの入力装置１７からの入力に基いて通知先情報を登録する。ステップＳ３及びＳ４で登録される情報は、ユーザデータとして外部記憶装置１２に記憶される。
【００３１】
図５は、サーバシステムで管理されるユーザデータを説明する図である。項目番号１〜４の個人情報、即ち、氏名、ユーザ名（ユーザＩＤ）、パスワード及び電子メールアドレスは、ステップＳ３で登録される個人情報であり、登録が必須である。又、項目番号５，６のホームページのアクセス（ログイン）日時及びアクセスページログは、夫々ユーザがホームページ４をアクセスした際のアクセス記録データであり、リスト構造により履歴として記録される。項目番号７の最終ユーザ通知日時は、サーバ１１からユーザへ通知を行った最終日時に関する情報である。項目番号５〜７の情報は、ユーザ側から登録されるものではなく、ユーザ登録後にサーバ１１側で自動的にユーザデータとして登録、更新される情報である。
【００３２】
項目番号８から１２の住所、ＦＡＸ番号、ポケットベル番号、第二電子メールアドレス及び第三電子メールアドレス（携帯端末用）は、ステップＳ４で登録される通知先情報であり、例えば少なくとも１つの通知先情報が登録されれば良い。
【００３３】
項目番号４の個人情報及び項目番号８〜１２の通知先情報に対しては、サーバ１１側からユーザへ通知を行う際の通知手段、即ち、通知タイミングや通知方法を決定する情報として登録可能である。通知手段として登録する情報に関しては、設定が「有り」として登録しておく。図５の場合、項目番号４の個人情報及び項目番号９，１２の通知先情報が、夫々通知手段として設定されている。
【００３４】
次に、サーバ１１側から、ホームページ５をアクセスしたことのあるユーザへの通知を行う、通知処理を図６と共に説明する。図６は、通知処理を説明するフローチャートである。同図に示す通知処理は、ホームページ提供者又はサーバシステムの管理者により設定されたスケジュールで、サーバ１１により実行される。尚、スケジュールの設定については、図７と共に後述する。
【００３５】
図６において、ステップＳ１１は、外部記憶装置１２のデータベースをアクセスして、ユーザのアクセス記録データ等のアクセス情報を取得する。本実施例では、アクセス情報のうち、ユーザが最後にホームページ４をアクセスした最終アクセス日時を示す、項目番号５のホームページのアクセス（ログイン）日時を取得する。ステップＳ１２は、｛（現在の日時）-（最終アクセス日時）｝≧（所定期間）であるか否かを判定し、判定結果がＮＯであると、処理は終了する。所定期間は、ホームページ提供者又はサーバシステム管理者により、図７と共に後述する如く設定される。
【００３６】
他方、ステップＳ１２の判定結果がＹＥＳであると、ステップＳ１３は、外部記憶装置１２をアクセスして、更新履歴から、最終ログイン日時以降のページ更新情報、即ち、ユーザがアクセスしていないページ情報をピックアップして、ホームページ更新情報を取得する。尚、更新履歴については、図９と共に後述する。ステップＳ１４は、ホームページ更新情報に基いて、ユーザへ通知するべきコンテンツ（以下、通知コンテンツと言う）を作成する。通知コンテンツの作成については、図１０と共に後述する。
【００３７】
ステップＳ１５は、外部記憶装置１２のデータベースをアクセスして、ユーザが設定した通知手段によりユーザに通知コンテンツを通知する。本実施例では、図５の項目番号４の個人情報及び項目番号９，１２の通知先情報の通知手段が使用されるので、通知コンテンツがユーザのＦＡＸ装置及び携帯端末用に通知される。ステップＳ１６は、外部記憶装置１２のデータベースをアクセスして、最終通知日を更新してからデータベースに記録し、処理は終了する。
【００３８】
図７は、パラメータ設定処理を説明するフローチャートである。ホームページ提供者又はサーバシステム管理者が設定するパラメータとしては、（ｉ）サーバ１１にユーザの最終アクセス日時をチェックさせるスケジュール、即ち、サーバ１１に最終アクセス日時のチェックを行わせるタイミングと、（ｉｉ）ユーザに通知コンテンツを通知する日時条件、即ち、どのくらいの期間ユーザからのアクセスがないと通知処理を行うかを示す通知タイミングとが含まれる。パラメータ（ｉ），（ｉｉ）のいずれを設定する場合も、図７に示す設定処理をサーバ１１により実行する。
【００３９】
図７において、ステップＳ２１は、サーバ１１へのログインが可能であるか否かを判定し、判定結果がＮＯであると、処理は終了する。ステップＳ２１の判定結果がＹＥＳであると、ステップＳ２２は、上記パラメータ（ｉ），（ｉｉ）の設定又は変更を行う。ステップＳ２３は、パラメータ（ｉ），（ｉｉ）の設定を確認して、設定通りであるか否かを判定し、判定結果がＮＯであると、処理はステップＳ２２へ戻る。ステップＳ２３の判定結果がＹＥＳであると、処理は終了する。ステップＳ２３における確認は、例えばサーバ１１の表示装置に設定されたパラメータ（ｉ），（ｉｉ）を表示し、ホームページ提供者又はサーバシステム管理者に確認を求める方法を採用可能である。
【００４０】
図８は、パラメータ設定処理を説明する図である。同図は、サーバ１１にユーザの最終アクセス日時をチェックさせるスケジュール、即ち、パラメータ（ｉ）を設定する際に、サーバ１１の表示装置に表示される設定画面を示す。スケジュールの設定は、毎月Ｘ日といった形の指定、毎週Ｙ曜日といった形の指定、Ｚ月Ｘ日といった形の指定等で行える。又、時間の指定も行える。同図では、スケジュールが、毎月の１０日、２０日及び３０日の９：００時に設定された場合を示す。
【００４１】
他方、ユーザに通知コンテンツを通知する日時条件、即ち、パラメータ（ｉｉ）を設定する際には、例えば｛（現在の日時）-（最終アクセス日時）｝がどのくらいの期間になったらユーザにコンテンツ通知を行うかを、日数で設定する。本実施例では、｛（現在の日時）-（最終アクセス日時）｝≧（所定期間）を判定するための所定期間が、７日に設定されている。
【００４２】
図９は、ホームページ提供者又はサーバシステム管理者が行う更新履歴管理処理を説明するフローチャートである。同図に示す更新履歴管理処理は、サーバ１１により実行される。
【００４３】
図９において、ステップＳ３１は、サーバ１１へのログインが可能であるか否かを判定し、判定結果がＮＯであると、処理は終了する。ステップＳ３１の判定結果がＹＥＳであると、ステップＳ３２は、ホームページを変更して更新する。ステップＳ３３は、外部記憶装置１２に記憶されているページ更新履歴に、今回の変更分を記録する。ページ変更履歴に記録されるデータには、例えば変更者名（ユーザＩＤ）、変更日時、変更内容等が含まれる。変更内容は、ホームページ提供者又はサーバシステム管理者が明示的に記録する必要があるが、変更者名（ユーザＩＤ）及び変更日時については、サーバ１１側で自動的に設定するようにしても良い。
【００４４】
ステップＳ３４は、ページ更新履歴を確認して、変更通りであるか否かを判定し、判定結果がＮＯであると、処理はステップＳ３３へ戻る。ステップＳ３４の判定結果がＹＥＳであると、処理は終了する。ステップＳ３４における確認は、例えばサーバ１１の表示装置にページ更新履歴を表示し、ホームページ提供者又はサーバシステム管理者に確認を求める方法を採用可能である。
【００４５】
図１０は、通知コンテンツの作成を説明する図である。ここでは、説明の便宜上、ユーザＡとユーザＢとでホームページ４へのアクセス時期が異なり、ユーザＡ及びユーザＢへの通知コンテンツがアクセス時期に応じて異なる場合を示す。同図中、数字は、ある月の日にちを示す。又、○印はホームページ４の更新日、□印はユーザＡのホームページ４への最終アクセス日、△印はユーザＢのホームページ４への最終アクセス日、◎印はサーバ１１の最終アクセスチェック日を示す。
【００４６】
図１０の場合、サーバ１１による最終アクセスチェックにより、ユーザＡへ通知される通知コンテンツは、１８日及び２２日の２日分のホームページ更新情報であり、ユーザＢへ通知される通知コンテンツは、１０日、１４日、１８日及び２２日の４日分のホームページ更新情報である。このように、各ユーザＡ，Ｂのホームページ４へのアクセス状況に応じて、各ユーザＡ，Ｂへ通知される通知コンテンツが異なる。
【００４７】
新規ユーザ登録処理を行う際に、ユーザが興味のある分野や気になるキーワード等を設定しておけば、上記の如き場合に、ユーザに通知する通知コンテンツの情報量が異なるだけではなく、通知コンテンツの中身をも異なるようにすることも可能である。これにより、各ユーザの好みに合わせて通知コンテンツを通知することが可能となり、不要なコンテンツの通知を防止し、通知コンテンツの情報量を最適化することも可能である。
【００４８】
上記実施例では、ホームページ提供者側でユーザへの通知を行っているが、通知を行うのはホームページ提供者に限定されない。例えば、複数のホームページ提供者と契約した通知代行業者が、ユーザのアクセス記録データ等の情報をホームページ提供者から受け取って、ホームページ提供者に代わってユーザへの通知を行うことも可能である。
【００４９】
尚、本発明は、以下に付記する発明をも包含するものである。
（付記１）
ユーザがホームページを最後にアクセスした時点を基準として、所定条件が満足されると、該ユーザを該ホームページに誘導する情報を含む通知を該ユーザに対して自動的に行うステップを含むことを特徴とする、アクセス誘導方法。
（付記２）
前記情報は、前記時点以降の前記ホームページの更新情報を含むことを特徴とする、（付記１）記載のアクセス誘導方法。
（付記３）
前記所定条件は、前記時点からの所定時間の経過であることを特徴とする、（付記１）又は（付記２）記載のアクセス誘導方法。
（付記４）
前記ユーザのユーザ情報の入力を促すステップを更に含み、
前記通知は、該ユーザ情報に基いて行われることを特徴とする、（付記１）〜（付記３）のいずれか記載のアクセス誘導方法。
（付記５）
前記ユーザ情報は通知先情報を含み、前記通知は該通知先情報に応じた通信方法で行われることを特徴とする、（付記４）記載のアクセス誘導方法。
（付記６）
ユーザがホームページを最後にアクセスした時点を記録する第１の記録手段と、
該ユーザを該ホームページに誘導する情報を作成する作成手段と、
該時点基準として、所定条件が満足されると、該情報を含む通知を該ユーザに対して自動的に行う通知手段とを備えたことを特徴とする、アクセス誘導装置。
（付記７）
前記作成手段は、前記時点以降の前記ホームページの更新情報を含む情報を作成することを特徴とする、（付記６）記載のアクセス誘導装置。
（付記８）
前記所定条件は、前記時点からの所定時間の経過であることを特徴とする、（付記６）又は（付記７）記載のアクセス誘導装置。
（付記９）
前記ユーザから入力されるユーザ情報を記録する第２の記録手段を更に備え、
前記通知手段は、該ユーザ情報に基いて通知を行うことを特徴とする、（付記６）〜（付記８）のいずれか記載のアクセス誘導装置。
（付記１０）
前記ユーザ情報は通知先情報を含み、前記通知手段は該通知先情報に応じた通信方法で通知を行うことを特徴とする、（付記９）記載のアクセス誘導装置。
（付記１１）
コンピュータに、ユーザをホームページへ誘導する処理を行わせるコンピュータプログラムであって、
コンピュータに、ユーザがホームページを最後にアクセスした時点を記録させる第１の記録手順と、
コンピュータに、該ユーザを該ホームページに誘導する情報を作成させる作成手順と、
コンピュータに、該時点基準として、所定条件が満足されると、該情報を含む通知を該ユーザに対して自動的に行わせる通知手順とを含むことを特徴とする、コンピュータプログラム。
（付記１２）
前記作成手順は、コンピュータに、前記時点以降の前記ホームページの更新情報を含む情報を作成させることを特徴とする、（付記１１）記載のコンピュータプログラム。
（付記１３）
前記所定条件は、前記時点からの所定時間の経過であることを特徴とする、（付記１１）又は（付記１２）記載のコンピュータプログラム。
（付記１４）
コンピュータに、前記ユーザから入力されるユーザ情報を記録させる第２の記録手順を更に含み、
前記通知手順は、コンピュータに、該ユーザ情報に基いて通知を行わせることを特徴とする、（付記１１）〜（付記１３）のいずれか記載のコンピュータプログラム。
（付記１５）
前記ユーザ情報は通知先情報を含み、前記通知手段は、コンピュータに、該通知先情報に応じた通信方法で通知を行わせることを特徴とする、（付記１４）記載のコンピュータプログラム。
（付記１６）
コンピュータに、ユーザをホームページへ誘導する処理を行わせるコンピュータプログラムを格納したコンピュータ読み取り可能な記憶媒体であって、
コンピュータに、ユーザがホームページを最後にアクセスした時点を記録させる第１の記録手順と、
コンピュータに、該ユーザを該ホームページに誘導する情報を作成させる作成手順と、
コンピュータに、該時点基準として、所定条件が満足されると、該情報を含む通知を該ユーザに対して自動的に行わせる通知手順とを含むことを特徴とする、記憶媒体。
（付記１７）
前記作成手順は、コンピュータに、前記時点以降の前記ホームページの更新情報を含む情報を作成させることを特徴とする、（付記１６）記載の記憶媒体。
（付記１８）
前記所定条件は、前記時点からの所定時間の経過であることを特徴とする、（付記１６）又は（付記１７）記載の記憶媒体。
（付記１９）
コンピュータに、前記ユーザから入力されるユーザ情報を記録させる第２の記録手順を更に含み、
前記通知手順は、コンピュータに、該ユーザ情報に基いて通知を行わせることを特徴とする、（付記１６）〜（付記１８）のいずれか記載の記憶媒体。
（付記２０）
前記ユーザ情報は通知先情報を含み、前記通知手段は、コンピュータに、該通知先情報に応じた通信方法で通知を行わせることを特徴とする、（付記１９）記載の記憶媒体。
【００５０】
以上、本発明を実施例により説明したが、本発明は上記実施例に限定されるものではなく、本発明の範囲内で種々の変形及び改良が可能であることは、言うまでもない。
【図面の簡単な説明】
【００５１】
【図１】本発明の動作原理を説明するための図である。
【図２】本発明になるアクセス誘導装置の一実施例を示すブロック図である。
【図３】サーバの構成を示す機能ブロック図である。
【図４】新規ユーザ登録処理を説明するフローチャートである。
【図５】サーバシステムで管理されるユーザデータを説明する図である。
【図６】通知処理を説明するフローチャートである。
【図７】パラメータ設定処理を説明するフローチャートである。
【図８】パラメータ設定処理を説明する図である。
【図９】更新履歴管理処理を説明するフローチャートである。
【図１０】通知コンテンツの作成を説明する図である。
【符号の説明】
【００５２】
１      情報端末
２      ネットワーク
３      サーバシステム
４      ホームページ
５      データベース
６      アクセス状況チェックプログラム
１０      ユーザ
１１      サーバ
１２      外部記憶装置
１５      クライアント装置
【図１】
2007249994.tif 000003
【図２】
2007249994.tif 000004
【図３】
2007249994.tif 000005
【図４】
2007249994.tif 000006
【図５】
2007249994.tif 000007
【図６】
2007249994.tif 000008
【図７】
2007249994.tif 000009
【図８】
2007249994.tif 000010
【図９】
2007249994.tif 000011
【図１０】
2007249994.tif 000012
【手続補正書】
【提出日】平成19年5月1日(2007.5.1)
【手続補正１】
【補正対象書類名】特許請求の範囲
【補正対象項目名】全文
【補正方法】変更
【補正の内容】
【特許請求の範囲】
【請求項１】
少なくとも１台のクライアントシステムがサーバシステムと接続されるクライアント・サーバシステムにおいて、ユーザが該クライアントシステムから過去にアクセスした該サーバシステム内のホームページへの再アクセスを誘導するアクセス誘導方法であって、
該ユーザによる該クライアントシステムから該サーバシステム内の該ホームページへのアクセス記録を該サーバシステム内の記憶装置に格納するステップと、
該記憶装置に格納された該アクセス記録に基づいて、該ユーザが該ホームページを最後にアクセスした時点から所定時間が経過したか否かを該サーバシステム内の制御部で判定するステップと、
該ホームページの更新内容を該サーバシステム内の該制御部により管理して該記憶装置に格納するステップと、
該サーバシステム内の該制御部が該所定時間が経過したと判断すると、該サーバシステム内の該制御部で該記憶装置に格納された該ホームページの更新内容を読み出して該更新内容及び該ホームページのアドレスを含む電子メールにて該ユーザの該クライアントシステムに対して自動的に送信して該ユーザを該ホームページに誘導する通知を行うステップを含むことを特徴とする、アクセス誘導方法。
【請求項２】
前記ホームページのアドレスは前記更新内容を含むページのアドレスであることを特徴とする、請求項１記載のアクセス誘導方法。
【請求項３】
前記更新内容は、前記ユーザが前記クライアントシステムから前記ホームページを最後にアクセスした時点以降の前記ホームページの更新情報を含むことを特徴とする、請求項１又は請求項２記載のアクセス誘導方法。
【請求項４】
前記サーバシステムから受信した前記通知を前記クライアントシステム内の表示装置に表示するステップを含むことを特徴とする、請求項１乃至請求項３のいずれか１項記載のアクセス誘導方法。
【請求項５】
サーバシステムにより構成されるアクセス誘導装置であって、
ユーザが該サーバシステム内のホームページを最後にアクセスした時点を含む該ユーザによる該ホームページへのアクセス記録を記録する第１の記録手段と、
該ホームページの更新内容を管理して記録する第２の記録手段と、
該第２の記録手段により記録された該ホームページの更新内容及び該ホームページのアドレスを用いて該ユーザを該ホームページに誘導する情報を作成する作成手段と、
該第１の記録手段により記録された該アクセス記録に基づいて該ユーザが該ホームページを最後にアクセスした時点から所定時間が経過すると該誘導する情報を含む通知を電子メールにて該ユーザに対して自動的に行う通知手段とを備えたことを特徴とする、アクセス誘導装置。
【請求項６】
前記ホームページのアドレスは前記更新内容を含むページのアドレスであることを特徴とする、請求項５記載のアクセス誘導装置。
【請求項７】
前記更新内容は、前記ユーザが前記ホームページを最後にアクセスした時点以降の前記ホームページの更新情報を含む情報を作成することを特徴とする、請求項５又は請求項６記載のアクセス誘導装置。
【請求項８】
コンピュータに、ユーザを該ユーザが過去にアクセスした該コンピュータ内のホームページへ再アクセスするよう誘導する処理を行わせるコンピュータプログラムであって、
該コンピュータに、ユーザが該コンピュータ内のホームページを最後にアクセスした時点を含む該ユーザによる該ホームページへのアクセス記録を記憶装置に記録させる第１の記録手順と、
該コンピュータに、該ホームページの更新内容を管理して該記憶装置に記録させる第２の記録手順と、
該コンピュータに、該記憶装置に記録された該ホームページの更新内容及び該ホームページのアドレスを用いて該ユーザを該ホームページに誘導する情報を作成させる作成手順と、
該コンピュータに、該記憶装置に記録された該アクセス記録に基づいて、該ユーザが該ホームページを最後にアクセスした時点から所定時間が経過すると該誘導する情報を含む通知を電子メールにて該ユーザに対して自動的に行わせる通知手順とを含むことを特徴とする、コンピュータプログラム。
【請求項９】
前記ホームページのアドレスは前記更新内容を含むページのアドレスであることを特徴とする、請求項８記載のコンピュータプログラム。
【請求項１０】
前記更新内容は、前記ユーザが前記ホームページを最後にアクセスした時点以降の前記ホームページの更新情報を含む情報を作成することを特徴とする、請求項８又は請求項９記載のコンピュータプログラム。
【請求項１１】
請求項８乃至１０のいずれか１項記載のコンピュータプログラムを格納したことを特徴とする、コンピュータ読み取り可能な記憶媒体。